(57)【特許請求の範囲】
【請求項１】
駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記回転ドラムの回転数を検知するドラム回転検知手段と、前記温度検知手段および前記ドラム回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ドラム回転検知手段により検知した回転数が所定の値よりも低いときは、前記温度検知手段の情報によらずに前記回転ドラムが停止した状態でも収容された衣類が適度な温度まで冷却される長めの冷却行程時間を設定して実行するとともに、前記冷却行程終了後前記回転ドラムの回転数が所定値より低いことを報知するように構成した衣類乾燥機。
【請求項２】
駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記送風ファンの回転数を検知するファン回転検知手段と、前記温度検知手段および前記ファン回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ファン回転検知手段により検知した回転数が所定の値よりも低いときは、前記温度検知手段の情報によらずに前記送風ファンが停止した状態でも収容された衣類が適度な温度まで冷却される長めの冷却行程時間を設定して実行するとともに、前記冷却行程終了後前記送風ファンの回転数が所定値より低いことを報知するように構成した衣類乾燥機。
【請求項３】
駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記回転ドラムの回転数を検知するドラム回転検知手段と、前記送風ファンの回転数を検知するファン回転検知手段と、前記温度検知手段、前記ドラム回転検知手段および前記ファン回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ドラム回転検知手段により検知した回転数が所定の値よりも低く、かつ、前記ファン回転検知手段により検知した回転数が所定の値よりも低いときは、前記温度検知手段の情報によらずに前記回転ドラムおよび前記送風ファンが停止した状態でも収容された衣類が適度な温度まで冷却される長めの冷却行程時間を設定して実行するとともに、前記冷却行程終了後前記モータが故障していることを報知するように構成した衣類乾燥機。
【発明の詳細な説明】
【０００１】
【発明の属する技術分野】
本発明は、熱風を回転ドラム内に供給して衣類を乾燥する衣類乾燥機に関するものである。
【０００２】
【従来の技術】
従来、衣類乾燥機においては、運転終了時の衣類の表面温度を下げるため、運転終了直前に熱源を停止し排気温度が所定の値以下になるまで駆動源だけを運転する冷却行程を設けるように構成していた。
【０００３】
【発明が解決しようとする課題】
このような従来の衣類乾燥機では、回転ドラムまたは送風ファンが故障により停止していることを想定すると、排気温度が所定の値以下になったときに衣類の表面温度が十分下がっていないという問題があった。
【０００４】
本発明は上記従来の課題を解決するもので、回転ドラムまたは送風ファンが故障により停止していることを識別して、運転終了時における衣類を適度な温度まで冷却するとともに、回転ドラム、送風ファン、モータのいずれかが故障していることを識別して報知することを目的としている。
【０００５】
【課題を解決するための手段】
本発明は上記目的を達成するために、モータにより駆動され衣類を収納し乾燥させる回転ドラム内に、熱源により加熱された熱風をモータにより駆動される送風ファンにより供給し、回転ドラムからの排気温度を温度検知手段により検知し、回転ドラムの回転数をドラム回転検知手段により検知し、送風ファンの回転数をファン回転検知手段により検知し、制御手段により温度検知手段およびドラム回転検知手段またはファン回転検知手段の情報によりモータと熱源の動作を制御するよう構成し、制御手段は、乾燥運転終了直前において、熱源をオフし温度検知手段により検知した温度が所定の値以下になるまで運転終了直前の冷却行程を行うようにし、前記冷却行程において、ドラム回転検知手段またはファン回転検知手段により検知した回転数が所定の値よりも低いときは、温度検知手段の情報によらずに回転ドラムまたは送風ファンが停止した状態でも収容された衣類が適度な温度まで冷却される長めの冷却行程時間を設定して実行するとともに、冷却行程終了後回転ドラムの回転数または送風ファンの回転数が所定値より低いことを報知するように構成したものである。
【０００６】
これにより、回転ドラムまたは送風ファンが故障により停止していることを識別して、運転終了時での衣類の温度を適度な温度まで冷却することができるとともに、回転ドラム、送風ファン、モータのいずれが故障しているのかを特定して報知することができる。
【０００７】
【発明の実施の形態】
本発明の請求項１に記載の発明は、駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記回転ドラムの回転数を検知するドラム回転検知手段と、前記温度検知手段および前記ドラム回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ドラム回転検知手段により検知した回転数が所定の値よりも低いときは、前記温度検知手段の情報によらずに前記回転ドラムが停止した状態でも収容された衣類が適度な温度まで冷却される長めの冷却行程時間を設定して実行するとともに、前記冷却行程終了後前記回転ドラムの回転数が所定値より低いことを報知するように構成したものであり、回転ドラムが故障により停止していることを識別して、運転終了時における衣類を適度な温度まで冷却することができるとともに、回転ドラムが故障しているのを特定して報知することができる。
【０００８】
請求項２に記載の発明は、駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記送風ファンの回転数を検知するファン回転検知手段と、前記温度検知手段および前記ファン回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ファン回転検知手段により検知した回転数が所定の値よりも低いときは、前記温度検知手段の情報によらずに前記送風ファンが停止した状態でも収容された衣類が適度な温度まで冷却される長めの冷却行程時間を設定して実行するとともに、前記冷却行程終了後前記送風ファンの回転数が所定値より低いことを報知するように構成したものであり、送風ファンが故障により停止していることを識別して、運転終了時における衣類を適度な温度まで冷却することができるとともに、送風ファンが故障しているのを特定して報知することができる。
【０００９】
請求項３に記載の発明は、駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記回転ドラムの回転数を検知するドラム回転検知手段と、前記送風ファンの回転数を検知するファン回転検知手段と、前記温度検知手段、前記ドラム回転検知手段および前記ファン回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ドラム回転検知手段により検知した回転数が所定の値よりも低く、かつ、前記ファン回転検知手段により検知した回転数が所定の値よりも低いときは、前記温度検知手段の情報によらずに前記回転ドラムおよび前記送風ファンが停止した状態でも収容された衣類が適度な温度まで冷却される長めの冷却行程時間を設定して実行するとともに、前記冷却行程終了後前記モータが故障していることを報知するように構成したものであり、モータが故障により停止していることを識別して、運転終了時における衣類を適度な温度まで冷却することができるとともに、モータが故障しているのを特定して報知することができる。
【００１０】
【実施例】
以下、本発明の実施例について、図面を参照しながら説明する。
【００１１】
（実施例１）
図２に示すように、外枠１は、回転ドラム２を前部の開口部に設けたドラム支持板３で支持し、回転ドラム２の後部はシャフト４を介してファンケース５にて回転自在に支持している。この回転ドラム２の奥壁にフィルター６およびフィルターカバー７を装着し、衣類から出るリントが機外に放出しないようにしている。モータ８は、ファンベルト９にてファンケース５内に設けた送風ファン１０に連結し、回転ドラム２内に熱風を送風して衣類を乾燥する。
【００１２】
また、回転ドラム２内の衣類を撹拌するために、モータ８と連結したドラムベルト１１を介して回転ドラム２を回転する。ヒータ（熱源）１２は、回転ドラム２内に供給する熱風を加熱する。矢印Ａは風の流れを示す。温度センサ（温度検知手段）１３は排気温度ＴＨを検出するものである。
【００１３】
電極１４は、ドラム支持板３に取り付け、回転ドラム２内に投入した衣類に接触するようにしている。この電極１４は、図３に示すように、２個の導電部材１５と絶縁部材１６とにより構成し、図１に示すように、乾燥度検出手段１７に入力している。乾燥度検出手段１７は導電部材１５間の抵抗値Ｒを検出することによって衣類の乾燥度を検出するよう構成している。
【００１４】
マグネット１８は回転ドラム２に取り付け、磁気近接スイッチであるドラム回転検知スイッチ１９の開閉信号を、図１に示すように、ドラム回転検知手段２０に入力している。ドラム回転検知手段２０は、ドラム回転検知スイッチ１９の開閉信号から回転ドラム２の回転数Ｎｄを検知するように構成している。
【００１５】
マグネット２１は送風ファン１０に取り付け、磁気近接スイッチであるファン回転検知スイッチ２２の開閉信号をファン回転検知手段２３（図６参照）に入力している。ファン回転検知手段２３は、ファン回転検知スイッチ２２の開閉信号から送風ファン１０の回転数Ｎｆを検知するように構成している。
【００１６】
制御手段２４は、マイクロコンピュータなどにより構成し、図１に示すように、乾燥度検出手段１７、温度センサ１３およびドラム回転検知手段２０からの情報により、モータ８およびヒータ１２を制御し、温度センサ１３により検知した温度が所定の値以下になるまで運転終了直前の冷却行程を行い、ドラム回転検知手段２０により検知した回転数が所定の値よりも低いときは、温度センサ１３の情報によらずに長めの冷却行程時間を設定するように構成している。
【００１７】
上記構成において図４および図５を参照しながら動作を説明する。ドラム回転検知手段２０により検知した回転ドラム２の回転数Ｎｄが所定の値Ｎｄ１より高い場合は、図４に示すように、単位時間当たりに導電部材１５間の抵抗値Ｒが所定値ＲＳよりも小さくなった回数Ｒｋが所定時間Ｔ１１の間、連続して設定値Ｒ１よりも小さくなった時刻ｔ１２より、設定された所定時間Ｔ１３経過した時刻ｔ１４においてヒータ１２をオフして冷却行程に移行する。温度センサ１３によって検出した排気温度ＴＨが所定の温度ＴＨ１より低くなった時刻ｔ１５においてモータ８をオフして運転を終了する。
【００１８】
つぎに、図５に示すように、運転中の時刻ｔ１６において、ドラム回転検知手段２０により回転ドラム２の回転数Ｎｄが所定の値Ｎｄ１より低いことを検知した場合は、ヒータ１２をオフして冷却行程に移行し、所定の時間Ｔ１７経過後の時刻ｔ１８においてモータ８をオフして運転を終了する。このとき、温度センサ１３によって検出した排気温度ＴＨは、時刻ｔ１８以前に所定の温度ＴＨ１より低くなっているが無視するように設定している。
【００１９】
すなわち、回転ドラム２の回転が正常であるときは、排気温度ＴＨと実際の衣類温度とは相関関係があるので、排気温度ＴＨが所定の温度ＴＨ１より低くなるまで冷却行程を行うことにより衣類を適度に冷却することができる。
【００２０】
一方、回転ドラム２が何らかの理由（たとえば、ドラムベルト１１の切断等）により停止しているときは、ヒータ１２をオフすると、排気温度ＴＨは下がりやすいが、衣類が撹拌されないので実際の衣類温度は下がりにくい。したがって、排気温度ＴＨが所定の温度ＴＨ１より低くなったときには、衣類温度はまだ十分に下がっていないので、回転ドラム２が停止したときに衣類が適度に冷却されるために必要な時間Ｔ１７を設定している。
【００２１】
このように本実施例によれば、回転ドラム２が故障により停止していることを識別して、排気温度ＴＨが所定の温度ＴＨ１より低くなるまで冷却行程を行うのではなく、所定時間Ｔ１７だけ行うことにより、運転終了時における衣類を適度な温度まで冷却することができる。
【００２２】
なお、本実施例では、熱源としてヒータ１２を設けているが、ガスバーナーや温水式の熱交換器を設けてもよい。
【００２３】
（実施例２）
図６に示すように、制御手段２４ａは、マイクロコンピュータなどにより構成し、乾燥度検出手段１７、温度センサ１３およびファン回転数検知手段２３からの情報により、モータ８およびヒータ１２を制御し、温度センサ１３により検知した温度が所定の値以下になるまで運転終了直前の冷却行程を行い、ファン回転検知手段２３により検知した回転数が所定の値よりも低いときは、温度センサ１３の情報によらずに長めの冷却行程時間を設定するように構成している。他の構成は実施例１と同じである。
【００２４】
上記構成において動作を説明する。上記実施例１と同様に、図７に示すように、ファン回転検知手段２３により検知した送風ファン１０の回転数Ｎｆが所定の値Ｎｆ１より高い場合は、単位時間当たりに導電部材１５間の抵抗値Ｒが所定値ＲＳよりも小さくなった回数Ｒｋが所定時間Ｔ１１の間、連続して設定値Ｒ１よりも小さくなった時刻ｔ１２より、設定された所定時間Ｔ１３経過した時刻ｔ１４においてヒータ１２をオフして冷却行程に移行する。温度センサ１３によって検出した排気温度ＴＨが所定の温度ＴＨ１より低くなった時刻ｔ１５においてモータ８をオフして運転を終了する。
【００２５】
つぎに、図８に示すように、運転中の時刻ｔ２６において、ファン回転検知手段２３により送風ファン１０の回転数Ｎｆが所定の値Ｎｆ１より低いことを検知した場合は、ヒータ１２をオフして冷却行程に移行し、所定の時間Ｔ２７経過後時刻ｔ２８においてモータ８をオフして運転を終了する。このとき、温度センサ１３によって検出した排気温度ＴＨは、時刻ｔ２８以前に所定の温度ＴＨ１より低くなっているが無視するように設定している。
【００２６】
すなわち、送風ファン１０の回転が正常であるときは、排気温度ＴＨと実際の衣類温度とは相関関係があるので、排気温度ＴＨが所定の温度ＴＨ１より低くなるまで冷却行程を行うことにより衣類を適度に冷却することができる。
【００２７】
一方、送風ファン１０が何らかの理由（たとえば、ファンベルト９の切断等）により停止しているときは、ヒータ１２をオフすると、排気温度ＴＨは下がりやすいが、送風されないので実際の衣類温度は下がりにくい。したがって、排気温度ＴＨが所定の温度ＴＨ１より低くなったときには、衣類温度はまだ十分に下がっていないので、送風ファン１０が停止したときに衣類が適度に冷却されるために必要な時間Ｔ２７を設定している。
【００２８】
このように本実施例によれば、送風ファン１０が故障により停止していることを識別して、排気温度ＴＨが所定の温度ＴＨ１より低くなるまで冷却行程を行うのではなく、所定時間Ｔ２７だけ行うことにより、運転終了時における衣類を適度な温度まで冷却することができる。
【００２９】
（実施例３）
図９に示すように、制御手段２４ｂは、マイクロコンピュータなどにより構成し、乾燥度検出手段１７、温度センサ１３、ドラム回転検知手段２０およびファン回転数検知手段２３からの情報により、モータ８およびヒータ１２を制御し、温度センサ１３より検知した温度が所定の値以下になるまで運転終了直前の冷却行程を行い、ドラム回転検知手段２０により検知した回転数が所定の値よりも低く、かつ、ファン回転検知手段２３により検知した回転数が所定の値よりも低いときは、温度センサ１３の情報によらずに長めの冷却行程時間を設定するように構成している。他の構成は実施例１と同じである。
【００３０】
上記構成において動作を説明する。実施例１と同様に、図１０に示すように、ドラム回転検知手段２０により検知した回転ドラム２の回転数Ｎｄが所定の値Ｎｄ１より高く、ファン回転検知手段２３により検知した送風ファン１０の回転数Ｎｆが所定の値Ｎｆ１より高い場合は、単位時間当たりに導電部材１５間の抵抗値Ｒが所定値ＲＳよりも小さくなった回数Ｒｋが所定時間Ｔ１１の間、連続して設定値Ｒ１よりも小さくなった時刻ｔ１２より、設定された所定時間Ｔ１３経過した時刻ｔ１４においてヒータ１２をオフして冷却行程に移行する。温度センサ１３によって検出した排気温度ＴＨが所定の温度ＴＨ１より低くなった時刻ｔ１５においてモータ８をオフして運転を終了する。
【００３１】
つぎに、図１１に示すように、運転中の時刻ｔ３６において、ドラム回転検知手段２０により回転ドラム２の回転数Ｎｄが所定の値Ｎｄ１より低いことを検知し、かつ、ファン回転検知手段２３により送風ファン１０の回転数Ｎｆが所定の値Ｎｆ１より低いことを検知した場合は、ヒータ１２をオフして冷却行程に移行し、所定の時間Ｔ３７経過後時刻ｔ３８においてモータ８をオフして運転を終了する。このとき、温度センサ１３によって検出した排気温度ＴＨは、時刻ｔ３８以前に所定の温度ＴＨ１より低くなっているが無視するように設定している。
【００３２】
すなわち、モータ８の回転が正常であり回転ドラム２および送風ファン１０の回転が正常であるときは、排気温度ＴＨと実際の衣類温度とは相関関係があるので、排気温度ＴＨが所定の温度ＴＨ１より低くなるまで冷却行程を行うことにより衣類を適度に冷却することができる。
【００３３】
一方、モータ８が何らかの理由（たとえば過負荷保護装置の動作等）により停止しているときは、ヒータ１２をオフすると、排気温度ＴＨは下がりやすいが、衣類が撹拌されず、送風もされないので実際の衣類温度は下がりにくい。したがって排気温度ＴＨが所定の温度ＴＨ１より低くなったときには、衣類温度はまだ十分に下がっていないので、モータ８の停止により回転ドラム２および送風ファン１０が停止したときに衣類が適度に冷却されるために必要な時間Ｔ３７を設定している。
【００３４】
このように本実施例によれば、モータ８が故障により停止していることを識別して、排気温度ＴＨが所定の温度ＴＨ１より低くなるまで冷却行程を行うのではなく、所定時間Ｔ３７だけ行うことにより、運転終了時における衣類を適度な温度まで冷却することができる。
【００３５】
（実施例４）
図９に示す制御手段２４ｂは、温度センサ１３より検知した温度が所定の値以下になるまで運転終了直前の冷却行程を行い、ドラム回転検知手段２０により検知した回転数が所定の値よりも低く、かつ、ファン回転検知手段２３により検知した回転数が所定の値よりも低いときは、温度センサ１３の情報によらずに冷却行程を行わずに運転を終了するように構成している。他の構成は実施例３と同じである。
【００３６】
上記構成において動作を説明する。なお、ドラム回転検知手段２０により検知した回転ドラム２の回転数Ｎｄが所定の値Ｎｄ１より高く、ファン回転検知手段２３により検知した送風ファン１０の回転数Ｎｆが所定の値Ｎｆ１より高い場合の動作は、上記実施例３の動作と同じであるので説明を省略する。
【００３７】
図１２に示すように、運転中の時刻ｔ４６において、ドラム回転検知手段２０により回転ドラム２の回転数Ｎｄが所定の値Ｎｄ１より低いことを検知し、かつ、ファン回転検知手段２３により送風ファン１０の回転数Ｎｆが所定の値Ｎｆ１より低いことを検知した場合は、ヒータ１２およびモータ８をオフして運転を終了する。このとき、温度センサ１３によって検出した排気温度ＴＨは、時刻ｔ４６において所定の温度ＴＨ１より高くても低くても無視するように設定している。
【００３８】
すなわち、モータ８の回転が正常であり回転ドラム２および送風ファン１０の回転が正常であるときは、排気温度ＴＨと実際の衣類温度とは相関関係があるので、排気温度ＴＨが所定の温度ＴＨ１より低くなるまで冷却行程を行うことにより衣類を適度に冷却することができる。
【００３９】
一方、モータ８が何らかの理由（たとえば過負荷保護装置の動作等）により停止しているときは、衣類が撹拌されず送風もされないため、時刻ｔ４６において運転を終了する。
【００４０】
このように本実施例によれば、モータ８が故障により停止していることを識別して、排気温度ＴＨが所定の温度ＴＨ１より低くなるまで冷却行程を行うのではなく、運転中の時刻ｔ４６において運転を終了することができる。
【００４１】
（実施例５）
図１３に示すように、制御手段２４ｃは、マイクロコンピュータなどにより構成し、乾燥度検出手段１７、温度センサ１３、ドラム回転検知手段２０およびファン回転数検知手段２３からの情報により、報知手段２５、モータ８およびヒータ１２を制御し、ドラム回転検知手段２０およびファン回転検知手段２３からの情報により、回転ドラム２の停止、送風ファン１０の停止、モータ８の停止を識別して報知手段２５によって報知するように構成している。他の構成は実施例１〜４と同じである。
【００４２】
上記構成において動作を説明する。上記実施例３と同様に、図１０に示すように、ドラム回転検知手段２０により検出した回転ドラム２の回転数Ｎｄが所定の値Ｎｄ１より高く、ファン回転検知手段２３により検出した送風ファン１０の回転数Ｎｆが所定の値Ｎｆ１より高い場合は、単位時間当たりに導電部材１５間の抵抗値Ｒが所定値ＲＳよりも小さくなった回数Ｒｋが所定時間Ｔ１１の間、連続して設定値Ｒ１よりも小さくなった時刻ｔ１２より、設定された所定時間Ｔ１３経過した時刻ｔ１４においてヒータ１２をオフして冷却行程に移行する。
【００４３】
温度センサ１３によって検出された排気温度ＴＨが所定の温度ＴＨ１より低くなった時刻ｔ１５においてモータ８をオフして運転を終了し、報知手段２５によって正常に終了したことを報知する。
【００４４】
つぎに、上記実施例１と同様に、図５に示すように、運転中の時刻ｔ１６において、ドラム回転検知手段２０により回転ドラム２の回転数Ｎｄが所定の値Ｎｄ１より低いことを検知した場合は、ヒータ１２をオフして冷却行程に移行し、所定の時間Ｔ１７経過後時刻ｔ１８においてモータ８をオフして運転を終了し、報知手段２５によって回転ドラム２の回転数が低いことを報知する。
【００４５】
また、上記実施例２と同様に、図８に示すように、運転中の時刻ｔ２６において、ファン回転検知手段２３により送風ファン１０の回転数Ｎｆが所定の値Ｎｆ１より低いことを検知した場合は、ヒータ１２をオフして冷却行程に移行し、所定の時間Ｔ２７経過後時刻ｔ２８においてモータ８をオフして運転を終了し、報知手段２５によって送風ファン１０の回転数が低いことを報知する。
【００４６】
さらに、上記実施例３と同様に、図１１に示すように、運転中の時刻ｔ３６において、ドラム回転検知手段２０により回転ドラム２の回転数Ｎｄが所定の値Ｎｄ１より低いことを検知し、かつ、ファン回転検知手段２３により送風ファン１０の回転数Ｎｆが所定の値Ｎｆ１より低いことを検知した場合は、ヒータ１２をオフして冷却行程に移行し、所定の時間Ｔ３７経過後時刻ｔ３８においてモータ８をオフして運転を終了し、報知手段２５によってモータ８が故障により停止していることを識別して報知する。
【００４７】
さらに、上記実施例４と同様に、図１２に示すように、運転中の時刻ｔ４６において、ドラム回転検知手段２０により回転ドラム２の回転数Ｎｄが所定の値Ｎｄ１より低いことを検知し、かつ、ファン回転検知手段２３により送風ファン１０の回転数Ｎｆが所定の値Ｎｆ１より低いことを検知した場合は、ヒータ１２およびモータ８をオフして運転を終了し、報知手段２５によってモータ８が故障により停止していることを識別して報知する。
【００４８】
このように本実施例によれば、回転ドラム２、送風ファン１０、モータ８のいずれが故障しているのかを特定して報知することができる。
【００４９】
【発明の効果】
以上のように本発明の請求項１に記載の発明によれば、駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記回転ドラムの回転数を検知するドラム回転検知手段と、前記温度検知手段および前記ドラム回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ドラム回転検知手段により検知した回転数が所定の値よりも低いときは、前記温度検知手段の情報によらずに前記回転ドラムが停止した状態でも収容された衣類が適度な温度まで冷却される長めの冷却行程時間を設定して実行するとともに、前記冷却行程終了後前記回転ドラムの回転数が所定値より低いことを報知するように構成したから、回転ドラムが故障により停止していることを識別して、運転終了時における衣類を適度な温度まで冷却することができるとともに、回転ドラムが故障しているのを特定して報知することができる。
【００５０】
また、請求項２に記載の発明によれば、駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記送風ファンの回転数を検知するファン回転検知手段と、前記温度検知手段および前記ファン回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ファン回転検知手段により検知した回転数が所定の値よりも低いときは、前記温度検知手段の情報によらずに前記送風ファンが停止した状態でも収容された衣類が適度な温度まで冷却される長めの冷却行程時間を設定して実行するとともに、前記冷却行程終了後前記送風ファンの回転数が所定値より低いことを報知するように構成したから、送風ファンが故障により停止していることを識別して、運転終了時における衣類を適度な温度まで冷却することができるとともに、送風ファンが故障しているのを特定して報知することができる。
【００５１】
また、請求項３に記載の発明によれば、駆動源となるモータと、前記モータにより駆動され衣類を収納し乾燥させる回転ドラムと、前記モータにより駆動され前記回転ドラム内に熱源により加熱された熱風を供給する送風ファンと、前記回転ドラムからの排気温度を検知する温度検知手段と、前記回転ドラムの回転数を検知するドラム回転検知手段と、前記送風ファンの回転数を検知するファン回転検知手段と、前記温度検知手段、前記ドラム回転検知手段および前記ファン回転検知手段の情報により前記モータと前記熱源の動作を制御する制御手段と、運転状態を報知する報知手段とを備え、前記制御手段は、乾燥運転終了直前において、前記熱源をオフし前記温度検知手段により検知した温度が所定の値以下になるまで前記モータを駆動する冷却行程を行うようにし、前記冷却行程において、前記ドラム回転検知手段により検知した回転数が所定の値よりも低く、かつ、前記ファン回転検知手段により検知した回転数が所定の値よりも低いときは、前記温度検知手段の情報によらずに前記回転ドラムおよび前記送風ファンが停止した状態でも収容された衣類が適度な温度まで冷却される長めの冷却行程時間を設定して実行するとともに、前記冷却行程終了後前記モータが故障していることを報知するように構成したから、モータが故障により停止していることを識別して、運転終了時における衣類を適度な温度まで冷却することができるとともに、モータが故障しているのを特定して報知することができる。
【図面の簡単な説明】
【図１】  本発明の第１の実施例の衣類乾燥機のブロック図
【図２】  同衣類乾燥機の縦断面図
【図３】  同衣類乾燥機の電極の斜視図
【図４】  同衣類乾燥機の正常時の動作タイムチャート
【図５】  同衣類乾燥機の回転ドラムが故障により停止している場合の動作タイムチャート
【図６】  本発明の第２の実施例の衣類乾燥機のブロック図
【図７】  同衣類乾燥機の正常時の動作タイムチャート
【図８】  同衣類乾燥機の送風ファンが故障により停止している場合の動作タイムチャート
【図９】  本発明の第３の実施例の衣類乾燥機のブロック図
【図１０】  同衣類乾燥機の正常時の動作タイムチャート
【図１１】  同衣類乾燥機のモータが故障により停止している場合の動作タイムチャート
【図１２】  本発明の第４の実施例の衣類乾燥機のモータが故障により停止している場合の動作タイムチャート
【図１３】  本発明の第５の実施例の衣類乾燥機のブロック図
【符号の説明】
２  回転ドラム
８  モータ
１０  送風ファン
１２  ヒータ（熱源）
１３  温度センサ（温度検知手段）
２０  ドラム回転検知手段
２４  制御手段
【図１】
0003864745.tif 000002
【図２】
0003864745.tif 000003
【図３】
0003864745.tif 000004
【図４】
0003864745.tif 000005
【図５】
0003864745.tif 000006
【図６】
0003864745.tif 000007
【図７】
0003864745.tif 000008
【図８】
0003864745.tif 000009
【図９】
0003864745.tif 000010
【図１０】
0003864745.tif 000011
【図１１】
0003864745.tif 000012
【図１２】
0003864745.tif 000013
【図１３】
0003864745.tif 000014